(57)【要約】【課題】移動局が接続している基地局の通話チャネルが全て使用中であるときに、当該移動局から防災情報を基地局側に通知することが可能な防災無線システムを提供する。【解決手段】操作卓１１ａを含むセンタ局１１と、センタ局１１に接続された複数の基地局２１，２２と、少なくとも１つの移動局３１とで構成される防災無線システムにおいて、センタ局は、複数の基地局の各々の通話チャネルの使用状態をリアルタイムにて記憶し、任意の基地局の全ての通話チャネルが使用状態の場合には、その旨の信号を当該基地局から制御チャネルにて送信し、これを受信した移動局は当該基地局から他の局への呼び出しを行う場合には、当該基地局とは異なる基地局の制御チャネルにて呼出要求を行うことを特徴とする。【選択図】図１
2006229816.tif 000002
【特許請求の範囲】
【請求項１】
操作卓を含むセンタ局と、該センタ局に接続された複数の基地局と、少なくとも１つの移動局とで構成される防災無線システムにおいて、前記センタ局は、前記複数の基地局の各々の通話チャネルの使用状態をリアルタイムにて記憶し、任意の基地局の全ての通話チャネルが使用状態の場合には、その旨の信号を当該基地局から制御チャネルにて送信し、これを受信した移動局は当該基地局から他の局への呼び出しを行う場合には、当該基地局とは異なる基地局の制御チャネルにて呼出要求を行うことを特徴とする防災無線システム。
【発明の詳細な説明】
【技術分野】
【０００１】
本発明は、操作卓を含むセンタ局と、該センタ局に接続された複数の基地局と、少なくとも１つの移動局とで構成される防災無線システムに関する。
【背景技術】
【０００２】
従来の防災無線システムにおいては、移動局が呼出発信時に当該移動局が接続している基地局の通話チャネルが全て使用中であると、当該基地局はビジー（通話チャネル全使用中）を当該移動局に通知し、当該の呼出は失敗で終了する。
【０００３】
図４は従来の防災無線システムにおける動作フロー図である（文献公知発明に係るものではない）。移動局が基地局１に防災情報を通知したい場合、移動局で呼出操作４０１を行うと、移動局は制御チャネルにて呼出信号４０２を、接続している基地局１に送信する。基地局１は通話チャネルが全て使用中であるので、ビジー通知４０３を制御チャネルにて移動局に送信する。移動局は呼出失敗表示４０４を行い、処理を終了する。
【０００４】
この防災無線システムは、（社）電波産業会策定のＡＲＩＢ  ＳＴＤ−Ｔ７９、「市町村デジタル移動無線システムＴＹＰＥ１標準規格」（非特許文献１）に基づいた無線通信システムである。
【０００５】
また無線通信システムにおいて、移動局が接続している基地局１が通信可能状態か否かを、回線制御装置であるセンタ局が監視し、通信可能でない状態から通信可能状態となった時その旨を移動局に通知する技術が、例えば特開２００３−３２７４３号公報（特許文献１）に開示されている。
【０００６】
【非特許文献１】（社）電波産業会策定のＡＲＩＢ  ＳＴＤ−Ｔ７９、「市町村デジタル移動無線システムＴＹＰＥ１標準規格」
【特許文献１】特開２００３−３２７４３号公報
【発明の開示】
【発明が解決しようとする課題】
【０００７】
前述した従来技術では、移動局が接続している基地局において通話チャネルが全て使用中であると、呼出は失敗で終了する。このため、隣接の基地局において通話チャネルに空きがあってもこれを使用した通信を行うことはできない。また、呼出失敗後に再度移動局が呼出を行っても、同じ基地局に対して呼出を行うので、再び呼出失敗で終了する可能性がある。したがって前述した従来技術では、緊急情報の連絡を要する防災情報を通知することができない可能性がある。
【０００８】
また前述した特許文献１では、通信可能でない状態から通信可能状態となったことが、回線制御装置であるセンタ局から通知があるまで、緊急情報の連絡を要する防災情報を通知することができないので、緊急情報の連絡が遅れ、支障が発生する可能性がある。
【０００９】
本発明の目的は、移動局が接続している基地局の通話チャネルが全て使用中であるときに、当該移動局から防災情報を基地局側に通知することが可能な防災無線システムを提供することにある。
【課題を解決するための手段】
【００１０】
本発明は、操作卓を含むセンタ局と、該センタ局に接続された複数の基地局と、少なくとも１つの移動局とで構成される防災無線システムにおいて、前記センタ局は、前記複数の基地局の各々の通話チャネルの使用状態をリアルタイムにて記憶し、任意の基地局の全ての通話チャネルが使用状態の場合には、その旨の信号を当該基地局から制御チャネルにて送信し、これを受信した移動局は当該基地局から他の局への呼び出しを行う場合には、当該基地局とは異なる基地局の制御チャネルにて呼出要求を行うことを特徴とする。
【発明の効果】
【００１１】
本発明によれば、移動局が接続している基地局の通話チャネルが全て使用中であるときに、当該移動局から防災情報を基地局側に通知することが可能な防災無線システムを得ることができる。
【発明を実施するための最良の形態】
【００１２】
本発明による防災無線システムの実施の形態について、以下、図１〜図３を用いて詳述する。
【００１３】
図１は本発明による防災無線システムの実施の形態の構成図である。図１は、操作卓１１ａを含むセンタ局１１と、センタ局１１に接続された複数の基地局２１，２２と、少なくとも１つの移動局３１とで構成される。
【００１４】
基地局２１のゾーン２１ａと基地局２２のゾーン２２ａの一部はオーバーラップしている。通信量の多い地区では基地局が密集して設置され、その場合オーバーラップしているゾーンが発生する。オーバーラップしているゾーンに位置する移動局３１はどちらの基地局２１，２２とも通信接続可能であるが、移動局３１は今基地局２１と接続しているとする。
【００１５】
センタ局１１は、複数の基地局２１，２２の各々の通話チャネルの使用状態をリアルタイムにて記憶している。今基地局２１は通話チャネルが全使用中であり、基地局２２は空チャネルがある。センタ局１１はこれらの使用状態を記憶している。
【００１６】
図２は本発明による防災無線システムの実施の形態における第１の動作フロー図である。
【００１７】
移動局３１が基地局２１に、緊急情報の連絡を要する防災情報を通知したい場合、移動局３１で呼出操作２０１を行うと、移動局３１は制御チャネルにて呼出信号２０２を、接続している基地局２１に送信する。基地局２１はその呼出信号２０２を制御チャネルにてセンタ局１１に送信する。
【００１８】
センタ局１１は、基地局２１の通話チャネルが全使用中であると記憶しているので、ビジー通知２０３を制御チャネルにて基地局２１に送信し、基地局２１はそのビジー通知２０３を移動局３１に送信する。
【００１９】
すると移動局３１は他基地局選定中表示２０４をして、他基地局選定開始２０５をし、他基地局に接続かどうかを判断２０６し、他基地局と接続ができると、移動局３１は制御チャネルにて自動的に再度呼出信号２０７を、接続している基地局２２に送信する。基地局２２に通話チャネルの空きがあるので、基地局２２は制御チャネルにて呼出応答２０８を送信し、呼出が成立して通信２０９が可能となり、基地局２２に、緊急情報の連絡を要する防災情報を通知することが可能となる。
【００２０】
本動作フローによれば、移動局が接続している基地局の通話チャネルが全て使用中であるときに、当該移動局から、緊急情報の連絡を要する防災情報を基地局側に通知することが可能な防災無線システムを得ることができる。
【００２１】
また本動作フローによれば、移動局が接続している基地局に通話チャネルの空きが無い場合に、他の基地局に移動局が接続変更して自動的に再度呼出を行い、変更先の基地局に通話チャネルの空きがあれば通信を接続して、緊急情報の連絡を要する防災情報を基地局側に通知することが可能な防災無線システムを得ることができる。
【００２２】
図３は本発明による防災無線システムの実施の形態における第２の動作フロー図である。
【００２３】
移動局３１が基地局２１に、緊急情報の連絡を要する防災情報を通知したい場合、移動局３１で呼出操作３０１を行うと、移動局３１は制御チャネルにて呼出信号３０２を、接続している基地局２１に送信する。基地局２１はその呼出信号３０２を制御チャネルにてセンタ局１１に送信する。
【００２４】
センタ局１１は、基地局２１の通話チャネルが全使用中であると記憶しているので、ビジー通知３０３を制御チャネルにて基地局２１に送信し、基地局２１はそのビジー通知３０３を移動局３１に送信する。
【００２５】
すると移動局３１は他基地局選定中表示３０４をして、他基地局選定開始３０５をし、他基地局に接続かどうかを判断３０６し、他基地局と接続ができると、移動局３１は他基地局選定終了表示３０７をする。
【００２６】
ここで再度の呼出操作３０８を行うと、移動局３１は呼出信号３０９を、接続している基地局２２に送信する。基地局２２に通話チャネルの空きがあるので、基地局２２は呼出応答３１０を送信し、呼出が成立して通信３１１が可能となり、基地局２２に、緊急情報の連絡を要する防災情報を通知することが可能となる。
【００２７】
本動作フローによれば、移動局が接続している基地局の通話チャネルが全て使用中であるときに、当該移動局から、緊急情報の連絡を要する防災情報を基地局側に通知することが可能な防災無線システムを得ることができる。
【００２８】
また本動作フローによれば、移動局が接続している基地局に通話チャネルの空きが無い場合に、他の基地局に移動局が接続変更でき、変更先の基地局に通話チャネルの空きがあれば通信を接続して、緊急情報の連絡を要する防災情報を基地局側に通知することが可能な防災無線システムを得ることができる。
【図面の簡単な説明】
【００２９】
【図１】本発明による防災無線システムの実施の形態の構成図である。
【図２】本発明による防災無線システムの実施の形態における第１の動作フロー図である。
【図３】本発明による防災無線システムの実施の形態における第２の動作フロー図である。
【図４】従来の防災無線システムにおける動作フロー図である。
【符号の説明】
【００３０】
１１…センタ局、１１ａ…操作卓、２１，２２…基地局、３１…移動局。
【図１】
2006229816.tif 000003
【図２】
2006229816.tif 000004
【図３】
2006229816.tif 000005
【図４】
2006229816.tif 000006